(57)【要約】【課題】家庭用薄葉紙を好適に引き出すことができる家庭用薄葉紙収納容器を実現する。【解決手段】家庭用薄葉紙収納容器１００の取出し部１１２において、周囲よりも高い位置にある取出孔１１２ａに家庭用薄葉紙Ｐの一端部が保持されているので、その一端部を摘まんで家庭用薄葉紙Ｐを引き出し易くなっている。特に取出孔１１２ａには、その手前側の縁から後方に向かって突き出している突片１１２ｃが設けられており、その突片１１２ｃが取出孔１１２ａから手前側に引き出される家庭用薄葉紙Ｐに摺接して適切な摩擦力を付与することで、引き出して使用する家庭用薄葉紙Ｐに続いて引き出される次の家庭用薄葉紙Ｐが取出孔１１２ａから引き出され過ぎてしまわないようにすることができ、適正な長さ引き出された家庭用薄葉紙Ｐが取出孔１１２ａに保持されるようになっていることで、家庭用薄葉紙Ｐを引き出して使用することを好適に繰り返し行うことができる。【選択図】図２
2020132256.tif 000002
【特許請求の範囲】
【請求項１】
内部に家庭用薄葉紙が収納され、その家庭用薄葉紙を取り出す取出孔が設けられた取出し部を有する容器本体と、
前記容器本体に回動自在に取り付けられ、前記取出孔を閉塞する開閉蓋と、
を備えた家庭用薄葉紙収納容器であって、
前記取出孔は、前記取出し部において略球面状に膨らんだ態様の膨出部分に設けられており、
前記取出孔の縁には、前記容器本体に前記開閉蓋が取り付けられている側の後方へ向かって、その手前側の縁から突き出している突片が設けられていることを特徴とする家庭用薄葉紙収納容器。
【請求項２】
前記容器本体は、その少なくとも一部が弾性材料によって形成されており、
前記取出し部は、前記弾性材料によって形成された部分と一体的に形成されていることを特徴とする請求項１に記載の家庭用薄葉紙収納容器。
【請求項３】
前記弾性材料によって形成された部分と一体的に形成され、前記開閉蓋を開放方向に付勢する付勢手段を備えたことを特徴とする請求項１又は２に記載の家庭用薄葉紙収納容器。
【請求項４】
前記突片は、その先端部が前記取出し部の中心よりも、前記容器本体に前記開閉蓋が取り付けられている側の後方に位置するように設けられていることを特徴とする請求項１〜３のいずれか一項に記載の家庭用薄葉紙収納容器。
【発明の詳細な説明】
【技術分野】
【０００１】
本発明は、家庭用薄葉紙収納容器に関する。
【背景技術】
【０００２】
従来、家庭用薄葉紙であるウェットティッシュ等の収納容器としては、開閉蓋を板バネ等の付勢部材によって開放方向に付勢しつつ、その開閉蓋を所定の係止部材によって閉塞状態で係止しておき、使用者が係止部材に設けられたボタンを操作した際に、ワンタッチで開閉蓋が開くようにしたものが知られている（例えば、特許文献１参照。）。
収納容器の開閉蓋を開くと、容器本体上部に形成されている取出孔が露出するようになっており、その取出孔に一部分が保持されているウェットティッシュを摘まんで引き出して使用することができる。
【先行技術文献】
【特許文献】
【０００３】
【特許文献１】特開２０１７−１３８５４号公報
【発明の概要】
【発明が解決しようとする課題】
【０００４】
しかしながら、上記特許文献１の収納容器の場合、取出孔の縁が開閉蓋のヒンジ部とは反対側の手前側に延在する形状を有しており、ウェットティッシュが手前側へ引き出され易くなっているため、引き出して使用するウェットティッシュに続く次のウェットティッシュが引き出され過ぎてしまうことがある。
次のウェットティッシュが引き出され過ぎてしまい、取出孔に保持されるウェットティッシュ部分が長過ぎると、収納容器の開閉蓋を閉じる際に挟まれることがあり、閉蓋の妨げになることがある。
そのため、引き出され過ぎたウェットティッシュを取出孔に押し込むなどしなければならないことがあり、煩雑であった。
【０００５】
本発明の目的は、家庭用薄葉紙を好適に引き出すことができる家庭用薄葉紙収納容器を提供することである。
【課題を解決するための手段】
【０００６】
以上の課題を解決するため、請求項１に記載の発明は、
内部に家庭用薄葉紙が収納され、その家庭用薄葉紙を取り出す取出孔が設けられた取出し部を有する容器本体と、
前記容器本体に回動自在に取り付けられ、前記取出孔を閉塞する開閉蓋と、
を備えた家庭用薄葉紙収納容器であって、
前記取出孔は、前記取出し部において略球面状に膨らんだ態様の膨出部分に設けられており、
前記取出孔の縁には、前記容器本体に前記開閉蓋が取り付けられている側の後方へ向かって、その手前側の縁から突き出している突片が設けられていることを特徴とする。
かかる構成の家庭用薄葉紙収納容器であれば、取出し部における略球面状に膨らんだ態様の膨出部分に取出孔が設けられているので、周囲よりも高い位置にある取出孔にて保持されている家庭用薄葉紙の一端部を摘まみ易くなっており、その一端部を摘まんで家庭用薄葉紙を引き出し易くなっている。
特に、取出孔には、その手前側の縁から後方に向かって突き出している突片が設けられているので、その突片が取出孔から手前側に引き出される家庭用薄葉紙に摺接して適切な摩擦力を付与することで、引き出して使用する家庭用薄葉紙に続いて引き出される次の家庭用薄葉紙が取出孔から引き出され過ぎてしまわないようにすることができる。
こうして取出孔から引き出された次の家庭用薄葉紙は、その一端部が適正な長さ引き出された状態で取出孔に保持されるので、取出孔に保持されている家庭用薄葉紙が開閉蓋を閉じる際の妨げになることはない。
【０００７】
請求項２に記載の発明は、請求項１に記載の家庭用薄葉紙収納容器において、
前記容器本体は、その少なくとも一部が弾性材料によって形成されており、
前記取出し部は、前記弾性材料によって形成された部分と一体的に形成されていることを特徴とする。
【０００８】
請求項３に記載の発明は、請求項１又は２に記載の家庭用薄葉紙収納容器において、
前記弾性材料によって形成された部分と一体的に形成され、前記開閉蓋を開放方向に付勢する付勢手段を備えたことを特徴とする。
【０００９】
請求項４に記載の発明は、請求項１〜３のいずれか一項に記載の家庭用薄葉紙収納容器において、
前記突片は、その先端部が前記取出し部の中心よりも、前記容器本体に前記開閉蓋が取り付けられている側の後方に位置するように設けられていることを特徴とする。
【発明の効果】
【００１０】
本発明によれば、家庭用薄葉紙を好適に引き出すことができる家庭用薄葉紙収納容器が得られる。
【図面の簡単な説明】
【００１１】
【図１】本実施形態の家庭用薄葉紙収納容器を示す斜視図である。
【図２】本実施形態の家庭用薄葉紙収納容器を示す斜視図である。
【図３】本実施形態の家庭用薄葉紙収納容器を示す断面図であり、図１のＹ方向中央部における断面図である。
【図４】本実施形態の家庭用薄葉紙収納容器を示す断面図であり、図２のＹ方向中央部における断面図である。
【図５】容器本体上部と容器本体下部との篏合を外した状態における家庭用薄葉紙収納容器の断面図である。
【図６】家庭用薄葉紙収納容器の取出し部を示す上面図（ａ）と、その変形例を示す上面図（ｂ）である。
【図７】取出し部（取出孔）の変形例を示す上面図（ａ）（ｂ）（ｃ）である。
【図８】家庭用薄葉紙収納容器の変形例を示す斜視図である。
【発明を実施するための形態】
【００１２】
以下、図面を参照して、本発明に係る家庭用薄葉紙収納容器の実施形態について詳細に説明する。但し、以下に述べる実施形態には、本発明を実施するために技術的に好ましい種々の限定が付されているが、本発明の範囲を以下の実施形態及び図示例に限定するものではない。
なお、以下においては、図１，２に示すように、Ｘ軸、Ｙ軸及びＺ軸並びに前後方向、左右方向及び上下方向を定めて説明する。すなわち、家庭用薄葉紙収納容器１００の開閉蓋２が備えられた側を「上」、その反対側を「下」、容器本体１と開閉蓋２とが接続されている側を「後」、その反対側を「前」、容器の前面を正面視した状態における右手側を「右」、容器の前面を正面視した状態における左手側を「左」とし、前後方向に沿った軸をＸ軸、左右方向に沿った軸をＹ軸、上下方向の沿った軸をＺ軸とする。
【００１３】
［実施形態の構成］
｛全体構成｝
家庭用薄葉紙収納容器１００は、例えば、図１〜図５に示すように、内部の家庭用薄葉紙Ｐを取り出す取出孔１１２ａを有する容器本体１と、取出孔１１２ａを覆うように開閉自在に容器本体１に接続された開閉蓋２と、開閉蓋２を開放方向に付勢する付勢手段３と、を備え、容器本体１の内部に家庭用薄葉紙Ｐが収納される収納空間Ｓが形成されている。
容器本体１と、開閉蓋２とは、射出成形（２色成形）によって一体的に形成することができる。
【００１４】
｛家庭用薄葉紙｝
家庭用薄葉紙Ｐとしては、例えば、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートが用いられる。その他には、例えば、長さ方向に一定の間隔でミシン目が施された長大なウェットシート、ウェットティッシュ等がロール状に巻かれ、ミシン目に沿って切り離して使用するロールシートを用いることもできる。
【００１５】
｛容器本体｝
容器本体１は、図１，２に示すように、全体として、Ｘ方向及びＺ方向に比してＹ方向に長い略直方体状に形成され、これがＺ方向略中央部付近において上下に二分され、容器本体１の上側を構成する容器本体上部１１と、容器本体１の下側を構成する容器本体下部１２と、が形成されている。容器本体上部１１と、容器本体下部１２とは容器本体１の後側において接続されている。
容器本体上部１１と、容器本体下部１２とは、射出成形（２色成形）によって一体的に形成することができる。
【００１６】
容器本体１は、全体が、Ｘ方向に好ましくは６０ｍｍから１５０ｍｍ、さらに好ましくは８０ｍｍから１００ｍｍ、Ｙ方向に好ましくは８０ｍｍから２００ｍｍ、さらに好ましくは１４５ｍｍから１６５ｍｍ、Ｚ方向に好ましくは３０ｍｍから１００ｍｍ、さらに好ましくは５０ｍｍから７０ｍｍの大きさとなるように形成されている。また、各面の厚みは、好ましくは０．５ｍｍから３ｍｍ、さらに好ましくは１ｍｍから２ｍｍである。
この大きさ及び厚みであれば、成形効率が高く、かつ実使用に問題ない強度を達成することができる。
【００１７】
容器本体１は、図５に示すように、容器本体上部１１と容器本体下部１２とが接続された後側を支点とし、容器本体上部１１を上方へと回動させることによって、内部の収納空間Ｓを外部に開放することができる。
容器本体１後側の、容器本体上部１１と容器本体下部１２との接続部分が、図３〜図５に示すように、容器本体１の他の部分と比較して薄くなるように形成されていることによって、当該接続部分において容器本体の後面を容易に曲げることができ、容器本体上部１１を、当該接続部分を支点として、容器本体下部１２に対して回動させ易くなる。
【００１８】
なお、生産性は低下するものの、容器本体上部１１と、容器本体下部１２とを別体として形成の上、これらをヒンジ等によって回動自在に接続することも可能である。
また、容器本体１が容器本体上部１１と容器本体下部１２とに二分される位置は、図においては、Ｚ方向中央部付近とした場合につき図示したが、Ｚ方向中央部よりも上部であれば、さらに好ましい。この場合、収納された家庭用薄葉紙Ｐが所定の包装体によって覆われた状態で、容器本体１内に収納される場合において、容器の閉塞時に包装体のエンドシール部等を挟み込んでしまうおそれを低減することができ、家庭用薄葉紙Ｐをさらに詰め替え易くなる。
【００１９】
（容器本体上部）
容器本体上部１１は、図１〜図５に示すように、下面が開口部となった略直方体状に形成され、上面に下方に凹状となる凹部１１１が形成されている。
その凹部１１１の中央側の取出し部１１２には、収納空間Ｓの家庭用薄葉紙Ｐを取り出す取出孔１１２ａが設けられ、取出孔１１２ａを囲むようにして、本体側密閉環部１１３が形成されている。換言すれば、凹部１１１内における本体側密閉環部１１３に囲まれた部分が取出し部１１２として形成されており、取出し部１１２の中央部に取出孔１１２ａが設けられている。
また、上面の前側には、開閉蓋２を開閉するための係止手段１１４が形成されている。
また、下面の開口部の周囲には、後述の容器本体下部１２の下部嵌合部１２１と嵌合する上部嵌合部１１６が形成されている。
【００２０】
（取出孔）
取出孔１１２ａは、容器本体上面の中央側に形成された、収納空間Ｓにつながる孔部である。
図２においては、三角形の重心点と各頂点とを結ぶように３本のスリットを形成してなる略逆Ｙ字形状を呈する取出孔１１２ａを図示している。
この取出孔１１２ａは、後述するようにその周囲が弾性を有する材料によって形成されており、家庭用薄葉紙Ｐに対して適切な抵抗を掛けることで、収納空間Ｓに収納された家庭用薄葉紙Ｐが引き出された後に、次の家庭用薄葉紙Ｐを保持する機能を果たす。また、家庭用薄葉紙Ｐがロールシートである場合において、家庭用薄葉紙Ｐに設けられている切断用のミシン目で、これを切断することを可能とする。
【００２１】
特に、取出し部１１２の略中央には、略球面状に盛り上がった膨出部分１１２ｂが形成されており、その膨出部分１１２ｂに取出孔１１２ａが設けられている。つまり、取出孔１１２ａは、取出し部１１２において略球面状に膨らんだ態様の膨出部分１１２ｂに設けられている。
また、取出孔１１２ａの縁には、容器本体１に開閉蓋２が取り付けられている側の後方へ向かって、その手前側の縁から突き出している突片１１２ｃが設けられている。
【００２２】
（突片）
突片１１２ｃは、取出孔１１２ａから引き出される家庭用薄葉紙Ｐが摺接する箇所であり、取出孔１１２ａから引き出される家庭用薄葉紙Ｐに対して適切な抵抗を掛けるために設けられている。
具体的には、使用者が家庭用薄葉紙収納容器１００の開閉蓋２を開放して家庭用薄葉紙Ｐを取り出す場合、収納容器１００の後ろ側に起立された姿勢の開閉蓋２が家庭用薄葉紙Ｐを取り出す動作の妨げにならないように、使用者は収納容器１００の前面側から手を伸ばし、家庭用薄葉紙Ｐを取出孔１１２ａから引き出すようにするので、取出孔１１２ａから引き出される家庭用薄葉紙Ｐは手前側の縁の突片１１２ｃと摺接するようになる。
このとき、取出孔１１２ａから手前側に引き出される家庭用薄葉紙Ｐに対し、手前側の縁から後方へ向かって突き出している突片１１２ｃが摺接することで、突片１１２ｃが家庭用薄葉紙Ｐに対して適切な抵抗を掛けて、家庭用薄葉紙Ｐが取出孔１１２ａから引き出され過ぎてしまわないようにすることができる。
つまり、手前側の縁から後方へ向かって突き出している突片１１２ｃは、取出孔１１２ａから手前側に引き出される家庭用薄葉紙Ｐに対して適切な摩擦力を付与し、引き出して使用する家庭用薄葉紙Ｐに続いて引き出される次の家庭用薄葉紙Ｐが取出孔１１２ａから引き出され過ぎてしまわないようにする機能を有している。
そして、使用する家庭用薄葉紙Ｐに続いて引き出された次の家庭用薄葉紙Ｐは、その一端部が適正な長さ引き出された状態（図４参照）で、取出孔１１２ａに保持されるようになる。
【００２３】
また、このようにして取出孔１１２ａに保持されている家庭用薄葉紙Ｐの一端部は、手前側の突片１１２ｃを含む３つの突片で支持されている。
家庭用薄葉紙Ｐの一端部を保持する取出孔１１２ａは、取出し部１１２の膨出部分１１２ｂに設けられているので、各突片（１１２ｃ）の先端側は膨出部分１１２ｂ周囲の基面（取出し部１１２）よりも高い位置にある。
そして、家庭用薄葉紙Ｐの一端部は、このような突片（１１２ｃ）によって周囲よりも高い位置で支持されて取出孔１１２ａに保持されているので、その家庭用薄葉紙Ｐを摘まみ易くなっている。
【００２４】
（本体側密閉環部）
本体側密閉環部１１３は、図２に示すように、取出孔１１２ａを囲むように環状に上方へと突出する凸部であり、図３〜図５に示すように、その外周側の面が後述の開閉蓋２に形成された開閉蓋側密閉環部２２の内周側の面と嵌合するように形成されている。
【００２５】
（係止手段）
係止手段１１４は、図１〜図５に示すように、本体側爪部１１４１を備えるボタン状に形成され、本体側爪部１１４１が後述の開閉蓋２に形成される開閉蓋側爪部２１と係合することによって、これを閉塞状態で係止するとともに、使用者が係止手段１１４を押圧した際には、本体側爪部１１４１と開閉蓋側爪部２１との係合が外れ、開閉蓋２が開放状態となるように形成されている。
【００２６】
（上部嵌合部）
上部嵌合部１１６は、図１〜図５に示すように、容器本体上部１１の下側の開口部の周囲に、容器本体上部１１と容器本体下部１２とが接続された後側を除いて形成され、図３〜図５に示すように、下端部が外周側のみ突出し、上部突出部１１６１が形成されており、上部突出部１１６１の内周側の面が、後述の容器本体下部１２に形成される下部嵌合部１２１の下部突出部１２１１の外周側の面と嵌合するように形成されている。
上部嵌合部１１６は、上部突出部１１６１が、上下方向に好ましくは０．５ｍｍから５ｍｍ、さらに好ましくは１ｍｍから３ｍｍの長さを有するように形成される。
【００２７】
（容器本体上部の材質）
容器本体上部１１のうち、上面の取出し部１１２と本体側密閉環部１１３と付勢手段３とが、例えば、スチレン−ブタジエン系、ポリエステル系、ポリエチレン系、ウレタン系等の熱可塑性エラストマー等の弾性を有する材料（以下、「弾性材料」という。）によって形成されている。弾性材料の性質としては、硬度が２０から９０であることが望ましい。なお、上記硬度は、JIS K 6253（タイプＡデュロメータ）によって測定されたものである。
また、容器本体上部１１のうち、上部嵌合部１１６も、同様の弾性材料によって形成されている。
容器本体上部１１のその他の部分は、例えば、ポリエチレン、ポリプロピレン等のポリオレフィン系樹脂材料によって形成されている。
これらは、射出成形（２色成形）によって一体的に形成されている。
なお、弾性材料の硬度が上記よりも低くなると、柔らか過ぎて成形が難しく、成形効率が悪くなる。更に、付勢手段３が開閉蓋２を開放方向へと付勢する力が十分でなくなる。
また、硬度が上記よりも高くなると、取出孔１１２ａ周辺が硬くなり、抵抗が掛かり過ぎて、シートが一枚ずつ取り出しにくくなり、かつ、シートを引っ張り出す際に容器内部まで指を入れ難くなる。更に、付勢手段３が開閉蓋２を開放方向へと付勢する力が強くなり過ぎる。
したがって、弾性材料の硬度は、上記範囲とすることが望ましい。
【００２８】
（容器本体下部）
容器本体下部１２は、図１〜図５に示すように、上面が開口部となった略直方体状に形成され、上面の開口部の周囲には、容器本体上部１１の上部嵌合部１１６と嵌合する下部嵌合部１２１が形成されている。また、下面には、下部滑り止め部１２２が形成されている。
【００２９】
（下部嵌合部）
下部嵌合部１２１は、図１〜図５に示すように、容器本体下部１２の上側の開口部の周囲に、容器本体下部１２と容器本体上部１１とが接続された後側を除いて形成され、図３〜図５に示すように、上端部が内周側のみ突出し、下部突出部１２１１が形成されており、下部突出部１２１１の外周側の面が、容器本体上部１１に形成される上部嵌合部１１６の上部突出部１１６１の内周側の面と嵌合するように形成されている。
下部嵌合部１２１は、下部突出部１２１１が、上下方向に好ましくは０．５ｍｍから５ｍｍ、さらに好ましくは１ｍｍから３ｍｍの長さを有するように形成される。
【００３０】
なお、上部嵌合部１１６の上部突出部１１６１が、内周側のみ突出するように形成され、下部嵌合部１２１の下部突出部１２１１が、外周側のみ突出するように形成され、上部突出部１１６１の外周側の面と、下部突出部１２１１の内周側の面とが嵌合するようにしてもよい。
また、上部突出部が、内周側と外周側の間の中央部が突出するように形成され、下部突出部が、内周側と外周側の両側において突出し、間に凹部が生じるように形成され、上部突出部と、下部突出部の間の凹部とが嵌合するようにしてもよい。反対に、上部突出部が、内周側と外周側の両側において突出し、間に凹部が生じるように形成され、下部突出部が、内周側と外周側の間の中央部が突出するように形成され、下部突出部と、上部突出部の間の凹部とが嵌合するようにしてもよい。
【００３１】
（下部滑り止め部）
下部滑り止め部１２２は、家庭用薄葉紙収納容器１００を載置した際にこれを滑りにくくするための部分であり、容器本体下部１２の下面に、弾性材料によって形成された部分を、他の部分と一体的に設けることにより形成されている。
【００３２】
（容器本体下部の材質）
容器本体下部１２は、下部嵌合部１２１及び下部滑り止め部１２２が、容器本体上部１１において用いられるのと同様の弾性材料によって形成され、その他の部分は、例えば、ポリエチレン、ポリプロピレン等のポリオレフィン系樹脂材料によって形成されている。
これらは、射出成形（２色成形）によって一体的に形成されている。
【００３３】
｛開閉蓋｝
開閉蓋２は、図１〜図５に示すように、容器本体上部１１の凹部１１１後方に回動自在に接続された扁平な略矩形状の部材であり、前側に開閉蓋側爪部２１を備え、下面側に開閉蓋側密閉環部２２を備える。
開閉蓋２は、図１〜図５に示すように、閉塞時の平面視における形状が容器本体上部１１の凹部１１１の平面視における形状と略同一となるように形成されており、閉塞時において、凹部１１１に嵌め込むことができるように形成されている。
なお、開閉蓋２と容器本体上部１１との接続部分が、図４に示すように、他の部分と比較して薄くなるように形成されていることによって、当該接続部分を容易に曲げることができ、開閉蓋２を、当該接続部分を支点として回動させ易くなる。
【００３４】
（開閉蓋側爪部）
開閉蓋側爪部２１は、図１〜図５に示すように、開閉蓋２の前方に突出する爪部であり、容器本体上部１１の係止手段１１４に形成される本体側爪部１１４１と係合することによって、開閉蓋を閉塞状態で係止するとともに、使用者が係止手段１１４を押圧した際には、本体側爪部１１４１と開閉蓋側爪部２１との係合が外れ、後述の付勢手段３によって、開閉蓋２が開放状態となるように形成されている。
【００３５】
（開閉蓋側密閉環部）
開閉蓋側密閉環部２２は、図２に示すように、開閉蓋２の閉塞時における下面側中央部に形成された、下方へと環状に突出する凸部であり、図３〜図５に示すように、その内周側の面が、容器本体上部１１に形成された本体側密閉環部１１３の外周側の面と嵌合するように形成されている。
【００３６】
（開閉蓋の材質）
開閉蓋２は、例えば、ポリエチレン、ポリプロピレン等のポリオレフィン系樹脂材料によって形成されている。
この開閉蓋２と、容器本体１とは、射出成形（２色成形）によって一体的に形成されている。
【００３７】
｛付勢手段｝
付勢手段３は、開閉蓋２を起立させる開放方向へと付勢しており、使用者が係止手段１１４を押圧し、本体側爪部１１４１と開閉蓋側爪部２１との係合が外れた際に、開閉蓋２を後方の容器本体上部１１との接続部分を回転軸として回転させるようにして開放させるための部材である。
【００３８】
付勢手段３は、図２〜図５に示すように、容器本体上部１１の本体側密閉環部１１３の後方と繋ぐようにして、容器本体上部１１に弾性材料によって形成された部分を設けることによって形成されている。すなわち、付勢手段３は、容器本体上部１１の弾性材料によって形成された本体側密閉環部１１３と一体的に形成されている。
【００３９】
付勢手段３は、容器本体上部１１の取出し部１１２や本体側密閉環部１１３に用いられているのと同様の弾性材料によって形成されている。
付勢手段３は、幅が好ましくは２ｍｍ〜３０ｍｍ、さらに好ましくは８ｍｍ〜１０ｍｍ、厚みが好ましくは０．５ｍｍ〜３ｍｍ、さらに好ましくは１ｍｍ〜２ｍｍの帯状となるように形成されている。
付勢手段３がこのような大きさに形成されていることによって、開閉蓋２を無理なく押し上げることが可能であり、かつ、開閉蓋２の閉塞時において、凹部１１１内において付勢手段３を容易に折り曲げることができる。
【００４０】
付勢手段３は、図３に示すように、開閉蓋２の閉塞時において、開閉蓋２の付け根近傍において折り曲げられることとなる。そして、使用者が係止手段１１４を押圧し、本体側爪部１１４１と開閉蓋側爪部２１との係合が外れた際には、折り曲げられていた付勢手段３が復元しようとする反発力によって、開閉蓋２が開放され、図４に示す状態となる。
また、使用者が開閉蓋２を閉塞する際には、開閉蓋２を上方から押せば、付勢手段３が折り曲げられ、図３に示す状態となる。
【００４１】
［実施形態の効果］
本実施形態の家庭用薄葉紙収納容器１００によれば、使用者が係止手段１１４を操作して開閉蓋２の係止が外れると、付勢手段３によって開閉蓋２が自動的に跳ね上げられることから、家庭用薄葉紙使用時の開閉蓋２の開放が容易となる。
そして、家庭用薄葉紙Ｐの一端部を保持する取出孔１１２ａは、取出し部１１２の膨出部分１１２ｂに設けられているので、周囲よりも高い位置で取出孔１１２ａに保持されている家庭用薄葉紙Ｐの一端部を摘まみ易くなっており、その一端部を摘まんで家庭用薄葉紙Ｐを引き出し易くなっている。
なお、取出孔１１２ａが設けられている取出し部１１２は、弾性材料によって形成されているので、取出孔１１２ａから引き出した家庭用薄葉紙Ｐに対して適切な抵抗を掛けることができ、収納空間Ｓに収納された家庭用薄葉紙Ｐが引き出された後に、次の家庭用薄葉紙Ｐを好適に保持することができる。また、家庭用薄葉紙Ｐがロールシートである場合、家庭用薄葉紙Ｐに設けられている切断用のミシン目で好適に切断することができる。
【００４２】
特に、取出孔１１２ａには、その手前側の縁から後方に向かって突き出している突片１１２ｃが設けられており、その突片１１２ｃが取出孔１１２ａから手前側に引き出される家庭用薄葉紙Ｐに摺接して適切な摩擦力を付与することで、引き出して使用する家庭用薄葉紙Ｐに続いて引き出される次の家庭用薄葉紙Ｐが取出孔１１２ａから引き出され過ぎてしまわないようにすることができる。
こうして取出孔１１２ａから引き出された次の家庭用薄葉紙Ｐは、その一端部が適正な長さ引き出された状態で取出孔１１２ａに保持されるので、取出孔１１２ａに保持されている家庭用薄葉紙Ｐが開閉蓋２を閉じる際の妨げになることはない。
また、取出孔１１２ａに保持されている家庭用薄葉紙Ｐを開閉蓋２で挟み込んでしまうことはないので、開閉蓋２に挟まれて容器の外側にはみ出した家庭用薄葉紙Ｐ（ウェットティッシュ）が乾燥してしまうようなトラブルが生じることがない。
【００４３】
このような突片１１２ｃを有する取出孔１１２ａ（取出し部１１２）が設けられている家庭用薄葉紙収納容器１００であれば、家庭用薄葉紙Ｐを好適に引き出して使用することができ、引き出して使用した家庭用薄葉紙Ｐに続いて引き出された次の家庭用薄葉紙Ｐの一端部を、開閉蓋２を閉蓋する妨げにならないように取出孔１１２ａにて保持することができる。
そして、適正な長さ引き出された家庭用薄葉紙Ｐが取出孔１１２ａに保持されるようになっていることで、家庭用薄葉紙収納容器１００に収納されている家庭用薄葉紙Ｐを引き出して使用することを好適に繰り返し行うことができる。
【００４４】
また、容器本体１が、容器本体上部１１と容器本体下部１２とによって構成され、これらが後面において接続されていることで、容器本体１をその中央部で開けて、内部の収納空間Ｓに収納された家庭用薄葉紙Ｐを詰め替えることができる。
したがって、家庭用薄葉紙Ｐの詰め替えの際に、家庭用薄葉紙収納容器１００を持ち上げることを要せず、テーブル等に載置した状態のままで、詰め替え作業を行うことができる。
【００４５】
また、容器本体上部１１と容器本体下部１２とは、後面で接続されており、当該接続部分を支点として、容器本体上部１１を、容器本体下部１２に対して回動させるようにして、収納空間Ｓを開閉することができる。したがって、詰め替え後等において、容器本体上部１１と容器本体下部１２との位置を逐一合わせることなく、容易にこれらを嵌合させて容器本体を閉じた状態とすることができ、内部の家庭用薄葉紙Ｐの詰め替えの手間を低減することができる。
【００４６】
また、容器本体上部１１に弾性材料によって上部嵌合部１１６が形成され、容器本体下部１２に弾性材料によって下部嵌合部１２１が形成され、容器本体１の閉塞時に、これらが嵌合することで、容器本体１の気密性も向上することができる。この効果は、上部嵌合部１１６及び下部嵌合部１２１の双方が弾性材料によって形成されていることで、特に高めることができる。
【００４７】
また、容器本体１の下面に弾性材料によって下部滑り止め部１２２が形成されていることで、容器本体１をテーブルの上等に載置した際の安定性を向上させることができる。
【００４８】
［変形例］
なお、本発明は上記実施形態に限られるものではない。
図６（ａ）は、上記実施形態の取出し部１１２における取出孔１１２ａや突片１１２ｃを示す上面図である。
上記実施形態では、正三角形の重心点と各頂点とを結ぶように３本のスリットを形成してなる略逆Ｙ字形状を呈する取出孔１１２ａが、容器本体上面の略中央（取出し部１１２の略中央）に形成されている場合を例に説明したが、例えば、図６（ｂ）に示すように、二等辺三角形の重心点と各頂点とを結ぶように３本のスリットを形成してなる略逆Ｙ字形状を呈する取出孔１１２ａが、容器本体上面の後方寄りの位置（取出し部１１２における後方寄りの位置）に形成されていてもよい。
【００４９】
特に、図６（ｂ）に示した取出孔１１２ａのように、その手前側の縁から後方に向かって突き出している突片１１２ｃを他の２つの突片よりも大きく形成し、その突片１１２ｃの先端部が取出し部１１２の中心よりも、容器本体１に開閉蓋２が取り付けられている側の後方に位置するように設けられているようにする。
つまり、取出孔１１２ａの手前側の縁から後方に向かって突き出している突片１１２ｃは、その先端部が取出し部１１２の中心よりも、容器本体１に開閉蓋２が取り付けられている側の後方に位置するように設けられている。
【００５０】
このように、取出孔１１２ａが容器本体上面の取出し部１１２における後方寄りの位置に形成され、取出孔１１２ａの手前側の縁の突片１１２ｃの先端部が取出し部１１２の中心よりも後方に位置していれば、取出孔１１２ａから手前側に引き出される家庭用薄葉紙Ｐに対して突片１１２ｃが摺接する位置が容器本体上面（取出し部１１２）の後方寄りの位置になり、また、引き出して使用する家庭用薄葉紙Ｐに続いて引き出された次の家庭用薄葉紙Ｐは後方寄りの位置にある取出孔１１２ａに保持されるようになる。
このようにして、取出し部１１２における後方寄りの位置にある取出孔１１２ａに保持されている家庭用薄葉紙Ｐと、本体側密閉環部１１３の前面側の立片との間隔をより広くとるようにすることで、取出孔１１２ａから手前側に引き出されて保持されている家庭用薄葉紙Ｐの一端部が前方に傾斜したり傾倒したりしていても、それが開閉蓋２を閉じる際の妨げにならないようにすることができる。
【００５１】
また、取出孔１１２ａの形状は、略逆Ｙ字形状であることに限らない。
例えば、図７（ａ）に示すように、アーチ形状を呈する取出孔１１２ａであってもよい。
このようなアーチ形状を呈する取出孔１１２ａであっても、その手前側の縁から容器本体１に開閉蓋２が取り付けられている側の後方に向かって突き出している突片１１２ｃが設けられており、取出孔１１２ａから手前側に引き出される家庭用薄葉紙Ｐに対して突片１１２ｃが摺接するようになっており、その家庭用薄葉紙Ｐに適切な摩擦力を付与することができる。
【００５２】
また、図７（ｂ）に示すように、扇形（中心角が１８０°以上の扇形）を呈する取出孔１１２ａであってもよい。
このような扇形を呈する取出孔１１２ａであっても、その手前側の縁から容器本体１に開閉蓋２が取り付けられている側の後方に向かって突き出している突片１１２ｃが設けられており、取出孔１１２ａから手前側に引き出される家庭用薄葉紙Ｐに対して突片１１２ｃが摺接するようになっており、その家庭用薄葉紙Ｐに適切な摩擦力を付与することができる。
【００５３】
また、図７（ｃ）に示すように、多角形（ここでは略星形）を呈する取出孔１１２ａであってもよい。
このような多角形を呈する取出孔１１２ａであっても、その手前側の縁から容器本体１に開閉蓋２が取り付けられている側の後方に向かって突き出している突片１１２ｃが設けられており、取出孔１１２ａから手前側に引き出される家庭用薄葉紙Ｐに対して突片１１２ｃが摺接するようになっており、その家庭用薄葉紙Ｐに適切な摩擦力を付与することができる。
【００５４】
［他の実施形態］
なお、以上の実施の形態においては、取出し部１１２の略中央に設けられている膨出部分１１２ｂに取出孔１１２ａが設けられているとしたが、例えば、図８に示すように、取出し部１１２における後方寄りの位置に膨出部分１１２ｂを設け、その後方寄りの膨出部分１１２ｂに取出孔１１２ａが設けられていてもよい。
こうすることで、手前側の縁から後方に向かって突き出している突片１１２ｃの先端部が取出し部１１２の中心よりも、容器本体１に開閉蓋２が取り付けられている側の後方に位置するようにすることができる。
このようにしても、取出し部１１２における後方寄りの位置にある取出孔１１２ａに保持されている家庭用薄葉紙Ｐと、本体側密閉環部１１３の前面側の立片との間隔をより広くとることができ、取出孔１１２ａから手前側に引き出されて保持されている家庭用薄葉紙Ｐの一端部が前方に傾斜したり傾倒したりしていても、それが開閉蓋２を閉じる際の妨げにならないようにすることができる。
そして、取出孔１１２ａに保持されている家庭用薄葉紙Ｐを好適に引き出して使用することができる。
【００５５】
以上のように、本実施形態の家庭用薄葉紙収納容器１００であれば、取出孔１１２ａに保持されている家庭用薄葉紙Ｐを好適に引き出すことができる。
【００５６】
なお、以上の実施の形態においては、射出成形（２色成形）によって容器本体１と開閉蓋２を一体的に形成したが、本発明はこれに限定されるものではなく、生産性は低下するものの、容器本体１と開閉蓋２とを別体として形成の上、これらをヒンジ等によって回動自在に接続することも可能である。
【００５７】
また、以上の実施の形態においては、付勢手段３は、容器本体１や開閉蓋２と一体的に形成したが、本発明はこれに限定されるものではなく、容器本体１や開閉蓋２とは別体に形成した付勢手段３を、容器本体１や開閉蓋２に取り付けるようにしてもよい。
【００５８】
また、本発明の適用は上述した実施形態に限定されることなく、本発明の趣旨を逸脱しない範囲で適宜変更可能である。
【符号の説明】
【００５９】
１      容器本体
１１１  凹部
１１２  取出し部
１１２ａ  取出孔
１１２ｂ  膨出部分
１１２ｃ  突片
１１３  本体側密閉環部
１１４  係止手段
２      開閉蓋
３      付勢手段
１００  家庭用薄葉紙収納容器
Ｐ      家庭用薄葉紙
【図１】
2020132256.tif 000003
【図２】
2020132256.tif 000004
【図３】
2020132256.tif 000005
【図４】
2020132256.tif 000006
【図５】
2020132256.tif 000007
【図６】
2020132256.tif 000008
【図７】
2020132256.tif 000009
【図８】
2020132256.tif 000010